(57)【要約】【課題】  襟前最上部の第一ボタンの有無に関わらず、折り畳まれて、襟前部が開放されている状態にある襟付きシャツの襟周りの形状を保持することができる襟保形具を提供すること。【解決手段】  適宜の腰と可撓性を有する薄板で帯状に形成した本体１の一端に突片２を形成し、かつ、他端側に前記突片２を挿入係合させる係合部３を設けた襟保形具であって、本体１の中央部に切り込みを２箇所入れてシャツの襟前部の左右の台襟１３ａ，１３ｂを挟み込む挟持片４ａ，４ｂを形成してなる構成としたこと。【選択図】        図１
2007107132.tif 000002
【特許請求の範囲】
【請求項１】
適宜の腰と可撓性を有する薄板で帯状に形成した本体(1)の一端に突片(2)を形成し、かつ、他端側に前記突片(2)を挿入係合させる係合部(3)を設けた襟保形具であって、本体(1)の中央部に切り込みを２箇所入れてシャツの襟前部の左右の台襟(13a),(13b)を挟み込む挟持片(4a),(4b)を形成してなる襟保形具。
【請求項２】
前記挟持片(4a)は、本体(1)の中央部において向かって左側の上方の基部から下方に延びる形状に形成され、挟持片(4b)は、向かって右側の上方の基部から下方に延びる形状に形成されていることを特徴とする請求項１に記載の襟保形具。
【請求項３】
前記挟持片(4a)は、本体(1)の中央部において右方の基部から左方に延びる形状に形成され、挟持片(4b)は、本体(1)の中央部において向かって右側の上方の基部から下方に延びる形状に形成されていることを特徴とする請求項１に記載の襟保形具。
【請求項４】
前記本体(1)の下縁(7)を左右両端側から中央部に向かって略逆Ｖ字型に傾斜する形状とし、かつ、左右両端側から中央部に向かってその傾斜角度が大きくなる構成とするとともに、本体(1)の中央部近傍の左右両側の下縁(7)から舌片(5),(5)を突出形成してある請求項１乃至３の何れかに記載の襟保形具。
【発明の詳細な説明】
【技術分野】
【０００１】
本発明は、折り畳んだワイシャツ及びカッターシャツ等の襟付きシャツの台襟内側に装着される襟保形具、より詳しくは、襟前最上部の第一ボタンを外している、あるいは、襟前最上部に第一ボタンが取り付けられていない等、襟前部が開放されている状態で折り畳まれている襟付きシャツに使用される襟保形具に関するものである。
【背景技術】
【０００２】
ワイシャツやカッターシャツ等の襟付きシャツは、折り畳まれた状態で箱詰めにされて搬送され、折り畳まれた状態で幾重にも積み重ねられて陳列・販売されている。この襟付きシャツは、通常の包装・陳列・販売時に見られるような折り畳み状態では、その折り畳み上面において襟の部分が突出して立体的になっており、そのため、搬送時の振動によって襟付きシャツ同士が接触・衝突したり、陳列・販売時において上部に積み重ねられた他の襟付きシャツの加重がかかったりすることによって、襟周りが型崩れを起こしてしまうという問題があった。そこで、折り畳まれた襟付きシャツの襟周りの形態を保持するために、従来から様々な保形具が開発されるに至っている。
【０００３】
例えば、実公平０６−０３０７１７号公報に見られるように、適宜の腰と可撓性を有する薄板で帯状に形成されている本体の一端には突片が設けてあり、他端近傍には該突片を挿入すべき複数の長溝を適宜間隔で並設してあるシャツの襟保形具が公知である。環状に組立てて使用される従来型のこの種の襟保形具には、本体の中央近傍の左右両側において２つの舌片が、下縁から下方へ突出した状態に該本体と一体に形成されている。下縁に沿って折曲げ可能な２つの舌片は、襟の内側へ当てつけた保形具が周方向で位置ズレを来し、あるいは上方へ浮上がることのないよう、シャツの前・後身頃の間へ挿入されるものである。
【０００４】
しかしながら、前記の従来型の保形具は、襟の周方向の位置ズレ防止は、２つの舌片のみに依存していたため、必ずしも十分なものではなかった。
【０００５】
そこで、このような従来型の襟保形具が有していた欠点を解消すべく、実登２５７９５６５号公報に見られるように、鈎片を本体の中央部に形成して、襟保形具を襟周りに装着したときに鈎片を襟前部の重なり合った台襟の間へ挿入し、そこにある襟部の第一ボタンの縫付け糸に引っ掛けて、周方向の位置ズレ防止を図る襟保形具が開発されるに至っている。
【特許文献１】実公平０６−０３０７１７号公報
【特許文献２】実登２５７９５６５号公報
【発明の開示】
【発明が解決しようとする課題】
【０００６】
この後者の保形具は、襟前部に第一ボタンが取り付けられている襟付きシャツを使用対象としており、襟付きシャツを襟前部の第一ボタンを留めた状態で折り畳んで、その留めてある第一ボタンを利用して装着して、襟周りの形態を保持することができる保形具であるが、襟付きシャツの中には襟前部に第一ボタンが取り付けられておらず、襟前部が常時開放された状態にあるものがあり、このような襟付きシャツに対しては使用対象外である。
【０００７】
また、襟前部に第一ボタンが取り付けられている襟付きシャツであっても、第一ボタンを外して襟前部を開放した状態で襟部を保形したほうが、襟周りの形状、構造の観点から自然である場合や、襟前部の美観の観点から優れている場合がある。
【０００８】
そこで、本発明は、襟前最上部の第一ボタンの有無に関わらず、折り畳まれて、襟前部が開放されている状態にある襟付きシャツの襟周りの形状を保持することができる襟保形具を提供するものである。
【課題を解決するための手段】
【０００９】
この課題を解決するために講じた本発明の構成を、実施例を示す図面に使用した符号を用いて説明すると、本発明は、適宜の腰と可撓性を有する薄板で帯状に形成した本体１の一端に突片２を形成し、かつ、他端側に前記突片２を挿入係合させる係合部３を設けた襟保形具であって、本体１の中央部に切り込みを２箇所入れてシャツの襟前部の左右の台襟１３ａ，１３ｂを挟み込む挟持片４ａ，４ｂを形成してなる構成としたものである。
【発明の効果】
【００１０】
本発明によれば、適宜の腰と可撓性を有する薄板で帯状に形成した本体の中央部に切り込みを２箇所入れてシャツの襟前部の左右の台襟を挟み込む挟持片を形成した構成であるから、襟前部が開放されている状態で折り畳まれている襟付きシャツにおいて、開放状態にある襟前の左右の台襟にそれぞれ、襟保形具の挟持片を引き起こして挟みつけることによって、襟前部が開放された状態を２つの挟持片で保持しながら、同時に襟周りの形状を確実に保持することができる。これにより、従来の保形具では対応できなかった襟前最上部の第一ボタンが取り付けられていない襟付きシャツや、第一ボタンが外された状態で折り畳まれている襟付きシャツに対しても適用でき、この種の襟付きシャツの襟周りの形状、構造、美観を確実に維持することができる。
【発明を実施するための最良の形態】
【００１１】
本発明を実施するにあたって、帯状に形成された本体１の下縁７及び上縁８は、Ｖ字型でも、逆Ｖ字型でも、直線状でも、その他の形状でもよく、限定されるものではないが、本体１の下縁７を左右両端側から中央部に向かって略逆Ｖ字型に傾斜する形状とし、かつ、左右両端側から中央部に向かってその傾斜角度が大きくなる構成とするとともに、本体１の中央部近傍の左右両側の下縁７から舌片５，５を突出形成してある構成で実施すると、突片２を適宜の係合部３に挿入係合させて襟保形具を環状にしたときに、襟保形具の正面側の下縁７及び正面側の中央部近傍の左右両側の下縁７から突出形成された舌片５，５が載置面から浮き上がった状態となり、これを襟付きシャツに装着したときに、舌片５，５が襟前の前身頃１４を上方に持ち上げる状態になり、開放された襟前の左右の台襟１３ａ，１３ｂを上方に立ち上げた状態で綺麗に保持することができる。また、襟保形具が上方に浮き上がってシャツから抜けることを防止することができる。
【００１２】
この場合、本体１の下縁７は、左右両端側から中央部に向かって略逆Ｖ字型の傾斜角度が漸次大きくなる構成でも、段階的に大きくなる構成でもよい。また、舌片５，５は、中央部近傍の左右両側の下縁７から突出形成されるものであるが、「中央部近傍」とは、明確な位置が限定されているわけではなく、襟付きシャツに装着したときに、舌片５，５が襟前の前身頃１４を上方に持ち上げることができる位置であり、かつ、襟保形具を環状にして載置面に載置したときに、舌片５，５が載置面から浮き上がった状態になる位置、例えば、左右両端側から中央部に向かって２段階に傾斜角度が大きくなる構成の場合は、略逆Ｖ字型の傾斜角度が大きくなっている方の傾斜線上の何れかの位置をいう。
【００１３】
また、本体の中央部に形成された２つの挟持片４ａ，４ｂの形状、構造は任意であり限定されるものではなく、例えば、挟持片４ａは、本体１の中央部において向かって左側の上方の基部から下方に延びる形状に形成され、挟持片４ｂは、向かって右側の上方の基部から下方に延びる形状に形成され、シャツに装着したときに、挟持片４ａは、シャツの襟前部において向かって左側の台襟１３ａを上方から挟み込み、挟持片４ｂは向かって右側の台襟１３ｂを上方から挟み込む構成や、あるいは、挟持片４ａは、本体１の中央部において右方の基部から左方に延びる形状に形成され、挟持片４ｂは、本体１の中央部において向かって右側の上方の基部から下方に延びる形状に形成され、シャツに装着したときに、挟持片４ａはシャツの襟前部において向かって左側の台襟１３ａを横から挟み込み、挟持片４ｂは向かって右側の台襟１３ｂを上方から挟み込む構成等として実施することができる。
【００１４】
さらに、挟持片４ａに襟前最上部の台襟１３ａの第一ボタン１１に係合可能な係合溝４１を形成してある構成として実施すると、襟保形具を襟付きシャツに装着したときに、挟持片４ａを台襟１３ａのボタン１１に係合させた状態で台襟１３ａを挟み込むことができ、また、挟持片４ｂを襟前最上部の台襟１３ｂの第一ボタン１１のボタン穴１２に挿入可能に形成してある構成で実施すると、挟持片４ｂを台襟１３ｂのボタン穴１２に挿入させた状態で台襟１３ｂを挟み込むことができる。これらにより、襟保形具が周方向に位置ズレしたり、浮き上がったりすることをより確実に防止しながら、襟前部の台襟１３ａ，１３ｂを保持することができる。
【実施例】
【００１５】
以下、本発明の実施例を図示例と共に説明する。図１乃至図４は本発明の第１実施例の襟保形具を説明するための図であって、図１は平面図、図２は図１の部分拡大図、図３は使用状態を示す図、図４は襟保形具を環状にして載置した状態の側面図である。
【００１６】
第１実施例の襟保形具は、図１に示すように、適度の弾性を備えたポリスチロール等のプラスチックシートを切り抜いて形成した本体１は、全体として略逆Ｖ字型の形状を呈している。より詳しくは、本体１の下縁７を左右両端から中央部に向かって、逆Ｖ字型の傾斜角度が小さい第一傾斜部７ａが延び、屈曲点７ｂを経て、逆Ｖ字型の傾斜角度が大きい第２傾斜部７ｃが続く構成となっており、また、上縁６と下縁７の間の幅は、左右両端側から中央部の挟持片４ａ，４ｂ形成箇所に向かって大きくなるように形成されている。そして、長手方向の一端に外方に向かって突出する突片２を備えているとともに、他端近傍にはこの突片２を挿入すべく適宜の間隔で並設された複数の縦長の楕円形状の係合部３，３…を有する。複数の係合部３，３…のうち、適宜の位置の係合部３に突片２を挿入係合させることにより、襟保形具をシャツの襟周りの大きさに合わせて適宜の大きさの環状形状にすることができるようにしたものである。
【００１７】
突片２は、図２の拡大図に示すように、その両側縁が、突出先端側から本体１との連結部に向かって傾斜して、その幅が漸次広くなるように形成され、本体１との連結部では一段小幅となる小幅部２１が形成されている。この小幅部２１の幅は、係合部３の長さよりも小さいが、小幅部２１の直近２２の幅は、係合部３の長さよりも大きく形成されている。したがって、本体１を環状にして、突片２を係合部３に挿入していくと、小幅部２１の直近２２で係合部３にこれ以上挿入できなくなるが、突片２が可撓性を有することを利用して、突片２を撓ませながら係合部３に押し込むことができる。突片２を係合部３に小幅部２１の形成箇所まで押し込むと、小幅部２１の直近２２の撓んだ箇所が弾性的に形状復帰して突片２と係合部３が係合状態となる。素材に腰があるため本体１が直線状に戻ろうとする自然の復元力が働くが、小幅部２１の直近２２が係合部３に引っ掛かっていて、本体１の直線状に戻ろうとする自然の復元力によっても突片２が係合部３から抜けることなく、突片２と係合部３の係合状態、即ち、本体１の環状状態を維持することができる。
【００１８】
本体１の長手方向の中央部近傍の左右両側の下縁７であって、逆Ｖ字型の傾斜角度が大きい第２傾斜部７ｃには、その一辺が第２傾斜部７ｃに一体的に連接され、第２傾斜部７ｃとの連接部に沿って折曲げが可能である方形の舌片５が１つずつ、左右対称の位置に形成されている。なお、本実施例においては適用されていないが、舌片５，５の下縁７との連接部に、下縁７に交わらない長さの他の切込みを下縁７に沿って形成して、舌片５，５の引起こし操作を容易にし、かつ起立姿勢を安定化させるようにしてもよい。
【００１９】
そして本発明における一層重要な特徴は、前記両舌片５，５間であって、本体１の中央部の左右２箇所に、挟持片４ａ，４ｂを設けた点にある。この挟持片４ａ，４ｂは、本体１の平面上に、切り込みを入れて形成してある。本例においては、図中向かって左側の挟持片４ａは、上方の基部から下方に棒状に延ばした後、先端部をＪターンさせて、先端部に上部が開口した係合溝４１を形成する構成としている。向かって右側の挟持片４ｂは、上方の基部から下方に延びる棒状の構造としたものである。なお、この向かって左側の挟持片４ａは、向かって左側の台襟１３ａを上方から挟み込み、向かって右側の挟持片４ｂは、向かって右側の台襟１３ｂを上方から挟み込むものである。
【００２０】
この襟保形具は、図３に示すように、折り畳まれ、かつ、第一ボタン１１が外されて襟前の左右の台襟１３ａ，１３ｂが開放状態にある襟付きシャツの襟周りの形状保持のために使用される。その使用に当たっては、突片２を有した一端側を内にし、外側にくる他端側の係合部３，３…のうち、シャツの台襟１３の内側に当接させるのに適した長さとなるものに突片２を挿入して、突片２の小幅部２１が係合部３に達するまで突片２を係合部３に押し込むことによって、突片２と係合部３を係合させて、本体１を環状にする。
【００２１】
このとき、襟保形具の本体１の下縁７を、左右両端から中央部に向かって、逆Ｖ字型の傾斜角度が小さい第一傾斜部７ａが延び、屈曲点７ｂを経て、逆Ｖ字型の傾斜角度が大きい第二傾斜部７ｃが続く構成としたので、本体１を環状にした状態で平面上に載置すると、図４に見られるように、環状の本体１の背面側の第一傾斜部７ａは地面と接するが、本体１の正面側の第二傾斜部７ｃ及び舌片５，５の第二傾斜部７ｃとの連接側は地面と接することなく浮き上がった状態になる。
【００２２】
そこで、舌片５，５を環状外側に引き起こして斜め下方へ突出させたのち、本体１をシャツの台襟１３の内側へ当接させつつ、本体１の中央部を襟前にして、舌片５，５を前・後身頃１４，１５間へ介入させると、襟後部は、環状の本体１の背面側の第一傾斜部７ａが後身頃１５に接するが、襟前部は、本体１の正面側の第二傾斜部７ｃが後身頃１５と接することなく浮き上がっており、そのため、前・後身頃１４，１５間に介入された舌片５，５も浮き上がった状態で、襟前近傍の前身頃１４を持ち上げて保持する姿勢をとる。
【００２３】
そして、図中、向かって左側の挟持片４ａを環状外側に引き出して、向かって左側の台襟１３ａに上方から挟み込んで、係合溝４１を下方から第一ボタン１１に係り止めする。向かって右側の挟持片４ｂは、環状外側に引き出して、向かって右側の台襟１３ｂの内側から第一ボタン１１のボタン穴１２に挿通させた状態で、上方から台襟１３ｂを挟み込ませる。
【００２４】
このように襟保形具を装着した状態では、舌片５，５が前・後身頃１４，１５間へ介入されていて、かつ、挟持片４ａの係合溝４１が第一ボタン１１の下方から係り止めしているので、襟保形具が浮き上がってシャツから外れることなく、また、挟持片４ａが第一ボタン１１に係り止めしていて、かつ、挟持片４ｂが第一ボタン１１のボタン穴１２に挿通しているので、襟保形具が左右方向に回動して位置ズレを起こすことがない。また、上縁６と下縁７の間の幅は、左右両端側よりも中央部の挟持片４ａ，４ｂ形成箇所の方が大きくなるように形成されているので、開放された襟前部の台襟１３ａ，１３ｂを上方に立ち上げた状態で保持でき、かつ、その台襟１３ａ，１３ｂを上方から挟持片４ａ，４ｂで挟み込ませることができる十分な幅（高さ）が挟持片４ａ，４ｂ形成箇所に確保されていて、襟保形具が浮き上がりすぎることがなく、襟保形具をシャツの襟周りに安定的に装着することができる。
【００２５】
なお、本発明の襟保形具の他に、襟前近傍の前身頃１４やその打ち合わせ部を押さえて形状保持するために、略Ｙ字型の保形具Ｓも装着されている。
【００２６】
図５乃至図７は本願第２実施例の襟保形具を説明するための図であって、第１実施例と異なる点は、図５に示すように、中央部の左右両側に形成された挟持片４ａ，４ｂが、併せて略「八」の字型の左右対称の構造になるように切り込み形成されている点である。より詳しくは、本例においては、図中向かって左側の挟持片４ａは、中央部向かって左側の上方の基部から下方外寄りに棒状に延びた後、左横にカーブする構造とし、向かって右側の挟持片４ｂは、中央部向かって右側の上方の基部から下方外寄りに棒状に延びた後、右横にカーブする構造としたものである。
【００２７】
使用にあたっては、突片２と係合部３を係合させて、本体１を環状にし、本体１をシャツの台襟１３の内側へ当接させつつ、本体１の中央部を襟前に位置させて、舌片５，５を前・後身頃１４，１５間へ介入させるところまでは第一実施例と同様であり、その後、図中、向かって左側の挟持片４ａを環状外側に引き出して、挟持片４ａのカーブする部分を第一ボタン１１に当接させながら、向かって左側の襟前の台襟１３ａを上方から挟み込み、そして、向かって右側の挟持片４ｂを環状外側に引き出して、向かって右側の襟前の台襟１３ｂを上方から挟み込むことにより、図６に示した装着状態とする。
【００２８】
なお、図７に示すように、本実施例の襟保形具は、折り畳まれ、かつ、第一ボタンが取り付けられておらず、襟前が開放されている状態にある襟付きシャツの襟周りの形状保持のためにも使用することができる。使用にあたって前記の場合と異なる点は、図中、向かって左側の挟持片４ａを環状外側に引き出して、向かって左側の襟前の台襟１３ａを上方から挟み込み、向かって右側の挟持片４ｂを環状外側に引き出して、向かって右側の襟前の台襟１３ｂを上方から挟み込むことにより、図７に示した装着状態とする。
【００２９】
図８は本願第３実施例の襟保形具を説明するための図であって、第１実施例と異なる点は、本体１は、全体として略逆Ｖ字型の形状を呈しており、より詳しくは、本体１の下縁７を、左右両端から中央部に向かって、逆Ｖ字型の傾斜角度が小さい直線状の第一傾斜部７ａが延び、屈曲点７ｂを経て、逆Ｖ字型の傾斜角度が漸次大きくなる曲線状の第二傾斜部７ｃが続く構成となっている点である。そして、舌片５，５に代えて、三角形状の保持片８，８が、挟持片４ａ，４ｂ形成箇所の略直下の第二傾斜部７ｃから突出形成されている。この保持片８，８は、第一実施例の舌片５，５とは異なり、下縁７に沿って手前側に折り返すものでなく、手前側に弾性的に湾曲させるものである。また、本体１の中央部の左右両側に形成された挟持片４ａ，４ｂは、上方の基部から下方やや中央部寄りに延びる棒状に切り込み形成されている。
【００３０】
使用にあたっては、突片２と係合部３を係合させて、本体１を環状にし、本体１をシャツの台襟１３の内側へ当接させつつ、本体１の中央部を襟前に位置させて、向かって左側の挟持片４ａは、向かって左側の襟前の台襟１３ａを上方から挟み込み、向かって左側の挟持片４ｂは、向かって右側の襟前の台襟１３ｂを上方から挟み込みながら、保持片８，８を弾性的に手前側に湾曲させて、前・後身頃１４，１５間へ介入させることにより装着する。この状態では、シャツの襟前部は、左右の台襟１３ａ，１３ｂを挟持片４ａ，４ｂで表側から挟み込みながら、その下方の前身頃１４の打ち合わせ部を内側から保持片８，８で弾性的に密着して持ち上げながら保持しているので、襟前部にしわが形成されることなく、綺麗に形状保持することができる。
【００３１】
図９は本願第４実施例の襟保形具を説明するための図であって、第１実施例と異なる点は、本体１は、本体１の上縁６を左右両端から中央部に向かって略一定の傾斜角度で逆Ｖ字型に傾斜させ、下縁７を一直線状に形成した構成とした点である。これにより、第１実施例と同様に上縁６と下縁７の間の幅は、左右両端側から中央部の挟持片４ａ，４ｂ形成箇所に向かって大きくなるように形成されている。また、舌片５，５の連接箇所に隣接する外側の下縁７から直に立ち上がった後に、中央部側に曲がる鉤型の切り込み９，９が入れられている。これは、突片２を係合部３に係合させて本体１を環状にしたときに、舌片５，５の連接箇所の下縁７の曲率を緩和して、舌片５，５を手前側に折り曲げやすくしたものである。また、本体１の中央部向かって右側を基部として、左側に向かって挟持片４ａが切り込み形成されている。図示したように、この挟持片４ａの一部は枝分かれして上方に延びる形状としてあり、第一ボタン１１に係合できるようにその先端部に係合溝４１を形成してある。挟持片４ａの他の一部４２は左側に延びて台襟１３ａあるいは前身頃１４を押さえる。向かって右側には、第１実施例と同様に、上方の基部から下方に延びる棒状の挟持片４ｂが形成されている。
【００３２】
使用にあたっては、突片２と係合部３を係合させて、本体１を環状にし、本体１をシャツの台襟１３の内側へ当接させつつ、本体１の中央部を襟前に位置させて、舌片５，５を前・後身頃１４，１５間へ介入させるところまでは第１実施例と同様であり、その後、図１０に示すように、開放状態にある襟前部の左右の台襟１３ａと台襟１３ｂの間から挟持片４ａを環状外側に引き出して、向かって左側の台襟１３ａを横から挟み込ませながら、係合溝４１を第一ボタン１１に係合させ、そして、向かって右側の挟持片４ｂを環状外側に引き出して、向かって右側の襟前の台襟１３ｂの内側から第一ボタン１１のボタン穴１２に挿通させた状態で上方から台襟１３ｂを挟み込ませることにより装着する。
【００３３】
図１１は本願第５実施例の襟保形具を説明するための図であって、第４実施例と異なる点は、本体１は、全体として略Ｖ字型の形状を呈しており、より詳しくは、本体１の上縁６及び下縁７を、左右両端から中央部に向かって、略一定の傾斜角度でＶ字型に傾斜させた構成とした点である。上縁６の傾斜角度は下縁７の傾斜角度よりも小さく形成してあり、これにより、第４実施例と同様に上縁６と下縁７の間の幅は、左右両端側から中央部の挟持片４ａ，４ｂ形成箇所に向かって大きくなるように形成されている。また、本体１の中央部向かって右寄りの位置を基部として、左側に向かって挟持片４ａが切り込み形成されている。図示したように、この挟持片４ａの先端は上方に曲がる形状としてあり、第一ボタン１１に係合できるようにその先端部に係合溝４１を形成してある。向かって右側の挟持片４ｂは、第４実施例と同様である。そして、シャツへの装着も第４実施例と同様である。
【００３４】
以上本発明の代表例と思われる実施例について説明したが、本発明は、上述の実施例にのみ限定されるものではなく、その他本発明にいう前記の構成要件を備え、かつ本発明にいう目的を達成し、本発明にいう効果を有する範囲内において適宜改変して実施することができるものである。
【産業上の利用可能性】
【００３５】
本発明の襟保形具は、襟前最上部の第一ボタンを外している、あるいは、襟前最上部に第一ボタンが取り付けられていない等、襟前部が開放されている状態で折り畳まれている襟付きシャツに適用することができ、利用可能性が高い発明である。
【図面の簡単な説明】
【００３６】
【図１】第１実施例の平面図。
【図２】同図１の部分拡大図。
【図３】同使用状態を示す正面図。
【図４】同襟保形具を環状にした状態の側面図。
【図５】第２実施例の平面図。
【図６】同使用状態を示す正面図。
【図７】同別の使用状態を示す正面図。
【図８】第３実施例の平面図。
【図９】第４実施例の平面図。
【図１０】同使用状態を示す正面図。
【図１１】第５実施例の平面図。
【符号の説明】
【００３７】
１  本体
２  突片
３  係合部
４  挟持片
４ａ  挟持片
４ｂ  挟持片
５  舌片
６  上縁
７  下縁
１１  （襟前最上部の）第一ボタン
１２  （襟前最上部の）第一ボタンのボタン穴
１３  台襟
１３ａ  向かって左側の台襟
１３ｂ  向かって右側の台襟
１４  前身頃
１５  後身頃
４１  係合溝
【図１】
2007107132.tif 000003
【図２】
2007107132.tif 000004
【図３】
2007107132.tif 000005
【図４】
2007107132.tif 000006
【図５】
2007107132.tif 000007
【図６】
2007107132.tif 000008
【図７】
2007107132.tif 000009
【図８】
2007107132.tif 000010
【図９】
2007107132.tif 000011
【図１０】
2007107132.tif 000012
【図１１】
2007107132.tif 000013